(57)【要約】【課題】本発明では、プッシュ・プッシュ方式のカートリッジ係止排出機構を備えたドライブ装置において、データの記録・再生中における誤った記録ディスクカートリッジの排出を防止することができるドライブ装置を提供することを目的とする。【解決手段】ドライブ装置Ｄは、ヘッド５を先端に備えるとともに、揺動自在に構成されるスイングアームＳＡと、プッシュ・プッシュ方式のカートリッジ係止排出機構１０とを備えている。そして、このドライブ装置Ｄには、ヘッド５が退避位置に位置するときに、Ｒ／Ｗ位置から最大押込位置までの記録ディスクカートリッジ１００の移動を許容し、ヘッド５が記録ディスクメディアＤＭ上に位置するときに、Ｒ／Ｗ位置から最大押込位置までの記録ディスクカートリッジ１００の移動を禁止するように構成される誤排出防止手段２０を備えている。【選択図】図２
2007164940.tif 000002
【特許請求の範囲】
【請求項１】
記録ディスクメディアに対してデータの記録・再生を行うヘッドと、
前記ヘッドを先端に備えるとともに、前記記録ディスクメディアに対して進退自在に構成されるアームと、
前記記録ディスクメディアを有する記録ディスクカートリッジが第１所定位置まで押し込まれたときに前記記録ディスクカートリッジを所定のリード・ライト位置まで押し戻して保持するとともに、前記リード・ライト位置に位置する前記記録ディスクカートリッジが第２所定位置まで押し込まれたときに前記記録ディスクカートリッジを外部に排出させるプッシュ・プッシュ方式のカートリッジ係止排出機構とを備えたドライブ装置であって、
前記アームの進退に連動するとともに、
前記ヘッドが退避位置に位置するときに、前記リード・ライト位置から前記第２所定位置までの前記記録ディスクカートリッジの移動を許容し、
前記ヘッドが前記記録ディスクメディア上に位置するときに、前記リード・ライト位置から前記第２所定位置までの前記記録ディスクカートリッジの移動を禁止するように構成される誤排出防止手段を備えていることを特徴とするドライブ装置。
【請求項２】
前記アームは、所定の揺動軸を中心として揺動自在に構成されたスイングアームであるとともに、
前記誤排出防止手段は、
その基端部が前記スイングアームの揺動軸に揺動自在に支持されるとともに、その先端部が前記スイングアームの前記記録ディスクカートリッジ側の側部から突出するように配置されるロック片と、
前記ロック片の先端部を、前記スイングアームの基部側に付勢する弾性部材と、
前記スイングアームに設けられ、前記弾性部材により付勢される前記ロック片の先端部を所定位置に保持させる保持部材と、
前記スイングアームが支持されている基板上に設けられ、かつ、前記スイングアームとともに揺動する前記ロック片の先端部を、前記記録ディスクカートリッジの先端側のケース外壁と所定値以下の隙間を空けた位置で支持するストッパ部材とを備えていることを特徴とする請求項１に記載のドライブ装置。
【請求項３】
前記カートリッジ係止排出機構が、前記記録ディスクカートリッジのケースの一部と係合して前記記録ディスクカートリッジと一体に進退する進退部材を備えるとともに、
前記誤排出防止手段が、
前記進退部材の前記リード・ライト位置から前記第２所定位置までの移動を禁止する禁止位置と、前記移動を許容する許容位置との間で揺動自在に構成されるロック片と、
その一端部が前記ロック片と係合し、かつ、その他端部が弾性部材によって前記退避位置に位置する前記アームに付勢されるロック片操作部材とを備えていることを特徴とする請求項１に記載のドライブ装置。
【発明の詳細な説明】
【技術分野】
【０００１】
本発明は、プッシュ・プッシュ方式のカートリッジ係止排出機構を備えたドライブ装置に関する。
【背景技術】
【０００２】
近年、ポリエステルシート等からなる円盤状の支持体の両面に磁性層を形成したフレキシブルな磁気ディスクメディアや、光記録ディスクメディア、相変化ディスクメディア等の記録ディスクメディアをカートリッジケースに収容した記録ディスクカートリッジが知られている。このような記録ディスクカートリッジとしては、例えば内部に収容した円盤状の記録ディスクメディアを外部に露出させるための開口を有するカートリッジケースと、このカートリッジケースの開口を開閉する回転式のロータリシャッタとを備えたものがある。そして、この記録ディスクカートリッジでは、ドライブ装置への挿入動作に連動してロータリシャッタが開いていき、所定のリード・ライト位置まで挿入されると前記ロータリシャッタが完全に開いて、記録ディスクメディアに対するデータの記録・再生（記録または再生）が可能となっている。
【０００３】
ところで、前記したような記録ディスクカートリッジに用いられるドライブ装置としては、従来、プッシュ・プッシュ方式のカートリッジ係止排出機構を備えたものが知られている（特許文献１参照）。このようなドライブ装置では、記録ディスクカートリッジを装置内の所定位置まで押し込むとカートリッジ係止排出機構により所定量押し戻されて記録ディスクカートリッジがリード・ライト位置で係止（ロック）され、このようにロックされた状態からさらに記録ディスクカートリッジを奥に所定量押し込むと、ロックが解除されて記録ディスクカートリッジが外部に排出されるようになっている。そして、リード・ライト位置に記録ディスクカートリッジが位置する際において、ロータリシャッタの開放により露出した記録ディスクメディア上に、ヘッドが退避位置から移動（回動）してくることによって、このヘッドによって記録ディスクメディアに対してデータの記録・再生が行われるようになっている。
【０００４】
【特許文献１】特開２００４―２７３０６３号公報（段落００５０，００５１、図２，３）
【発明の開示】
【発明が解決しようとする課題】
【０００５】
しかしながら、前記したドライブ装置では、データの記録・再生中に誤って記録ディスクカートリッジが所定量押し込まれると、前記カートリッジ係止排出機構によるロックが解除されて記録ディスクカートリッジが外部に排出されてしまうため、データの記録不良・再生不良が生じるといった問題があった。また、このようにデータの記録・再生中に誤って記録ディスクカートリッジが排出されてしまうと、記録ディスクメディア上に位置するヘッドと、前記カートリッジ係止排出機構によって勢いよく排出される記録ディスクカートリッジの記録ディスクメディアとが摺接して、記録ディスクメディアを傷付けてしまうおそれもあった。
【０００６】
そこで、本発明では、プッシュ・プッシュ方式のカートリッジ係止排出機構を備えたドライブ装置において、データの記録・再生中における誤った記録ディスクカートリッジの排出を防止することができるドライブ装置を提供することを目的とする。
【課題を解決するための手段】
【０００７】
前記課題を解決する本発明は、記録ディスクメディアに対してデータの記録・再生を行うヘッドと、前記ヘッドを先端に備えるとともに、前記記録ディスクメディアに対して進退自在に構成されるアームと、前記記録ディスクメディアを有する記録ディスクカートリッジが第１所定位置まで押し込まれたときに前記記録ディスクカートリッジを所定のリード・ライト位置まで押し戻して保持するとともに、前記リード・ライト位置に位置する前記記録ディスクカートリッジが第２所定位置まで押し込まれたときに前記記録ディスクカートリッジを外部に排出させるプッシュ・プッシュ方式のカートリッジ係止排出機構とを備えたドライブ装置であって、前記アームの進退に連動するとともに、前記ヘッドが退避位置に位置するときに、前記リード・ライト位置から前記第２所定位置までの前記記録ディスクカートリッジの移動を許容し、前記ヘッドが前記記録ディスクメディア上に位置するときに、前記リード・ライト位置から前記第２所定位置までの前記記録ディスクカートリッジの移動を禁止するように構成される誤排出防止手段を備えていることを特徴とする。
【０００８】
ここで、「リード・ライト位置」とは、ヘッドが記録ディスクメディアに対してデータの記録・再生を行うことが可能な位置をいう。また、第１所定位置と第２所定位置は、それぞれ別の位置であってもよいし、同じ位置であってもよい。さらに、「退避位置」とは、記録ディスクメディア上以外の位置をいい、例えばドライブ装置の非作動時におけるヘッドの待機位置（ランプ上の位置）をいう。また、「記録ディスクメディア上」とは、ヘッドが記録ディスクメディアに接している状態を含む他、ヘッドが記録ディスクメディアから所定の微小隙間を介して浮遊している状態も含む。
【０００９】
本発明によれば、記録ディスクカートリッジを第１所定位置まで押し込むと、カートリッジ係止排出機構によって記録ディスクカートリッジがリード・ライト位置に押し戻され、その位置で保持される。その後、アームを駆動してヘッドを、リード・ライト位置に位置する記録ディスクカートリッジ内の記録ディスクメディア上に位置させると、誤排出防止手段によってリード・ライト位置から第２所定位置までの記録ディスクカートリッジの移動が禁止される。なお、アームを元の位置に戻してヘッドを退避位置に位置させた場合には、誤排出防止手段によって記録ディスクカートリッジの移動が許容されるので、その後、記録ディスクカートリッジを第２所定位置まで押し込むと、カートリッジ係止排出機構によって記録ディスクカートリッジが外部に排出されることとなる。
【００１０】
なお、前記アームは、直線状に進退するタイプのアームであってもよいし、所定の揺動軸を中心として揺動自在に構成されたスイングアームであってもよい。
【００１１】
また、本発明に係るドライブ装置のアームは、所定の揺動軸を中心として揺動自在に構成されたスイングアームであるとともに、誤排出防止手段は、その基端部が前記スイングアームの揺動軸に揺動自在に支持されるとともに、その先端部が前記スイングアームの前記記録ディスクカートリッジ側の側部から突出するように配置されるロック片と、前記ロック片の先端部を、前記スイングアームの基部側に付勢する弾性部材と、前記スイングアームに設けられ、前記弾性部材により付勢される前記ロック片の先端部を所定位置に保持させる保持部材と、前記スイングアームが支持されている基板上に設けられ、かつ、前記スイングアームとともに揺動する前記ロック片の先端部を、前記記録ディスクカートリッジの先端側のケース外壁と所定値以下の隙間を空けた位置で支持するストッパ部材とを備えた構成となっていてもよい。
【００１２】
ここで、「記録ディスクカートリッジの先端側のケース外壁」とは、記録ディスクカートリッジをドライブ装置内に挿入していく際に、先頭となる側に位置するケース外壁をいう。また、「所定値以下の隙間」とは、リード・ライト位置に位置する記録ディスクカートリッジを外部に排出させるのに必要な押し込み量（リード・ライト位置から第２所定位置までのストローク量）よりも小さな隙間をいう。
【００１３】
これによれば、リード・ライト位置に位置する記録ディスクカートリッジ内の記録ディスクメディア上にヘッドを位置させる場合、スイングアームを揺動させると、このスイングアームに設けられた保持部材に付勢されているロック片も一緒に揺動する。そして、ロック片の先端が基板上のストッパ部材に当接すると、このストッパ部材によって、ロック片の揺動が止められて、ロック片の先端が、記録ディスクカートリッジの先端側のケース外壁と所定値以下の隙間を空けた位置で保持されることとなる。そのため、ヘッドが記録ディスクメディア上に位置する際には、記録ディスクカートリッジの第２所定位置までの移動をロック片の先端によって阻止（禁止）することができるので、データの記録・再生中における誤った記録ディスクカートリッジの排出を防止することができる。なお、スイングアームを元の位置に戻してヘッドを退避位置に位置させる場合には、スイングアームの揺動とともに移動する保持部材がロック片に当接するまでロック片はストッパ部材で支持され、保持部材がロック片に当接すると、ロック片が保持部材で支持された状態でスイングアームとともに揺動して退避位置に戻される。これにより、ロック片の先端部による記録ディスクカートリッジの移動の阻止が解除されるので、その後、記録ディスクカートリッジを第２所定位置まで押し込むと、カートリッジ係止排出機構によって記録ディスクカートリッジが外部に排出されることとなる。
【００１４】
さらに、本発明では、前記カートリッジ係止排出機構が、前記記録ディスクカートリッジのケースの一部と係合して前記記録ディスクカートリッジと一体に進退する進退部材を備える場合には、前記誤排出防止手段が、前記進退部材の前記リード・ライト位置から前記第２所定位置までの移動を禁止する禁止位置と、前記移動を許容する許容位置との間で揺動自在に構成されるロック片と、その一端部が前記ロック片と係合し、かつ、その他端部が弾性部材によって前記退避位置に位置する前記アームに付勢されるロック片操作部材とを備えた構成となってもよい。
【００１５】
これによれば、リード・ライト位置に位置する記録ディスクカートリッジに対してアームを進退させることで、ヘッドを退避位置から記録ディスクメディア上へ位置させると、ロック片操作部材が、弾性部材の付勢力によって移動してロック片を禁止位置まで揺動させる。そのため、ヘッドが記録ディスクメディア上に位置する際には、記録ディスクカートリッジの第２所定位置までの移動をロック片によって阻止（禁止）することができるので、データの記録・再生中における誤った記録ディスクカートリッジの排出を防止することができる。なお、アームを元の位置に戻してヘッドを退避位置に位置させる場合には、アームが弾性部材の付勢力に抗してロック片操作部材を押し戻すことによって、禁止位置に位置するロック片が許容位置まで揺動することとなる。これにより、ロック片による記録ディスクカートリッジの移動の阻止が解除されるので、その後、記録ディスクカートリッジを第２所定位置まで押し込むと、カートリッジ係止排出機構によって記録ディスクカートリッジが外部に排出されることとなる。
【発明の効果】
【００１６】
本発明によれば、ヘッドが記録ディスクメディア上に位置している際には、誤排出防止手段によって記録ディスクカートリッジの第２所定位置までの移動が禁止されるので、プッシュ・プッシュ方式のカートリッジ係止排出機構を備えたドライブ装置において、データの記録・再生中における誤った記録ディスクカートリッジの排出を防止することができる。
【発明を実施するための最良の形態】
【００１７】
〔第１の実施形態〕
次に、本発明に係るドライブ装置の第１の実施形態について、適宜図面を参照しながら説明する。参照する図面において、図１は、第１の実施形態に係るドライブ装置を斜め上方から見下ろした斜視図である。また、図２は、第１の実施形態に係るドライブ装置の内部構造を示す図であり、（ａ）は内部構造全体を示す平面図、（ｂ）は図２（ａ）の矢印Ｘで指し示す部分の拡大図である。なお、図１中、ドライブ装置の外観は実線で示し、内部構造は破線で示している。そして、図１には、ドライブ装置に装着する記録ディスクカートリッジをともに描いている。以下の説明において、前、後、左、右、上、および下の方向は、図１中に記載した方向を基準とする。
まず、本実施形態に係るドライブ装置についての説明に先立ち、ドライブ装置に装着されて使用される記録ディスクカートリッジについて簡単に説明する。
【００１８】
図１に示すように、記録ディスクカートリッジ１００は、カートリッジケース１１０と、このカートリッジケース１１０の内部に回動可能に配置されたロータリシャッタ１２０と、このロータリシャッタ１２０の内部に回転自在に配置された記録ディスクメディアＤＭとを主に備えて構成されている。
【００１９】
カートリッジケース１１０は、薄型の箱状体であって、ドライブ装置ＤのカートリッジスロットＤＳに挿入される側に、くさび状に切り欠かれたアクセス用開口部１１１を有している。このアクセス用開口部１１１を介して、後記するドライブ装置Ｄのヘッド５が記録ディスクメディアＤＭにアクセスすることとなる。
カートリッジケース１１０の下面には、その左側寄りに円弧状のガイド溝１１２が穿設されている。このガイド溝１１２は、後記するロータリシャッタ１２０のシャッタノブ１２２の軌道に沿うように所定の曲率で形成されている。
【００２０】
ロータリシャッタ１２０は、その外形が略円盤形状を有する中空構造体であって、カートリッジケース１１０のアクセス用開口部１１１と略同形状のくさび状の切欠部１２１を有している。このロータリシャッタ１２０は、カートリッジケース１１０に回動自在に取り付けられている。そして、ロータリシャッタ１２０の下面には、シャッタノブ１２２が突設されている。このシャッタノブ１２２は、カートリッジケース１１０のガイド溝１１２を介して、記録ディスクカートリッジ１００の下面から突き出ている。
【００２１】
このような記録ディスクカートリッジ１００では、ドライブ装置Ｄに装着される前にあっては、ロータリシャッタ１２０が閉位置に配置される。つまり、ロータリシャッタ１２０の切欠部１２１とカートリッジケース１１０のアクセス用開口部１１１とがずれて配置される。このときシャッタノブ１２２は、カートリッジケース１１０のガイド溝１１２の後側に位置する。
そして、シャッタノブ１２２がガイド溝１１２内を前側に向かって円弧状の軌道を描きながら移動すると、この移動に伴って、ロータリシャッタ１２０は回動する。このようにロータリシャッタ１２０が回動してカートリッジケース１１０のアクセス用開口部１１１とロータリシャッタ１２０の切欠部１２１とが重なり合うことで、記録ディスクメディアＤＭが外部に臨むこととなる。つまり、ロータリシャッタ１２０は、開位置に配置される。このときシャッタノブ１２２は、カートリッジケース１１０のガイド溝１１２の前側に位置する。
【００２２】
また、記録ディスクカートリッジ１００がドライブ装置Ｄに装着される際には、後記するようにシャッタノブ１２２がガイド溝１１２内を前側に向かって円弧状の軌道を描きながら移動する。そして、この移動に伴って、ロータリシャッタ１２０が回動することでカートリッジケース１１０のアクセス用開口部１１１とロータリシャッタ１２０の切欠部１２１とが重なり合う。その結果、記録ディスクメディアＤＭが外部に臨むこととなる。つまり、ロータリシャッタ１２０は、開位置に配置されて、後記するドライブ装置Ｄのヘッド５が記録ディスクメディアＤＭにアクセス可能となる。このときシャッタノブ１２２は、カートリッジケース１１０のガイド溝１１２の前側に位置する。そして、後記するドライブ装置Ｄのスピンドルモータ３の回転軸４が記録ディスクメディアＤＭのチャック部（図示省略）に接続されることで、記録ディスクメディアＤＭが回転可能となる。
【００２３】
次に、本実施形態に係るドライブ装置Ｄについて説明する。
図１に示すように、ドライブ装置Ｄは、平面視で矩形の薄型の箱状体であって、その前側に記録ディスクカートリッジ１００を受け入れるカートリッジスロットＤＳが形成されている。そして、ドライブ装置Ｄの後端には下面側に複数の端子９が設けられている。この端子９は、ドライブ装置Ｄが着脱自在に取り付けられた電子機器（図示省略）との間で電気的な接続を確立するものである。ドライブ装置Ｄは、この端子９を介して、記録ディスクメディアＤＭと、電子機器との間での情報の受け渡し、および受け取りを行うこととなる。そして、この端子９を介してドライブ装置Ｄに電力が供給されることとなる。ちなみに、電子機器としては、ＣＰＵ（Central Processing Unit）やメモリを備えたものであれば特に制限はなく、例えば、パーソナルコンピュータ、プリンタ、複写機等の事務機器、デジタルカメラ、テレビ、録音装置、録画装置、冷蔵庫、電子レンジ等の家電製品が挙げられる。
【００２４】
このようなドライブ装置Ｄは、ケーシング１と、ドライブ装置Ｄに装着された記録ディスクメディアＤＭを高速回転させるスピンドルモータ３と、記録ディスクメディアＤＭに対してデータ（情報）の記録・再生を行うヘッド５と、このヘッド５を先端に備えるとともに、支軸６を中心として揺動自在に構成されるスイングアームＳＡと、スイングアームＳＡを所定の揺動角で位置決めするアクチュエータ７とを主に備えている。また、このドライブ装置Ｄには、記録ディスクカートリッジ１００を使用者が押す動作に連動して記録ディスクカートリッジ１００の係止または排出を行うプッシュ・プッシュ方式のカートリッジ係止排出機構１０と、データの記録・再生中における記録ディスクカートリッジ１００の誤った排出を防止するための誤排出防止機構（誤排出防止手段）２０とが設けられている。
【００２５】
ケーシング１は、ドライブ装置Ｄの略外形を構成しており、その内部に後記する各部品を格納する略直方体の収容空間２を有している。このケーシング１は、本体１ａと蓋体１ｂとから構成されている。
本体１ａは、上方に開口した前記収容空間２を形成するものである。蓋体１ｂは、本体１ａの開口を覆うように組み付けられるものである。また、本体１ａの前側には、記録ディスクカートリッジ１００のロータリシャッタ１２０のシャッタノブ１２２を係止する係止部１ｃが、所定形状の切欠１ｄと所定形状の板ばね１ｅとで構成されている。そして、記録ディスクカートリッジ１００の挿入・排出時において、この係止部１ｃ（切欠１ｄまたは板ばね１ｅ）によってシャッタノブ１２２が適宜係止されると、挿入・排出方向へ移動する記録ディスクカートリッジ１００に対して、係止されたシャッタノブ１２２が相対的にガイド溝１１２内を移動することとなり、これによりロータリシャッタ１２０が適宜開閉されるようになっている。
【００２６】
スピンドルモータ３は、本体１ａの底面であって、ドライブ装置Ｄに装着された記録ディスクカートリッジ１００の記録ディスクメディアＤＭと対応する位置に配置されている。このスピンドルモータ３の回転軸４は、前記した記録ディスクメディアＤＭのチャック部（図示省略）と接続するようになっている。
【００２７】
スイングアームＳＡは、本体１ａの底面に対して略平行となるように支軸６から延びている。このスイングアームＳＡは一対で構成されており、各スイングアームＳＡは、上下方向に所定の間隔を空けてスタックされている。このようなスイングアームＳＡのそれぞれの先端には、前記したようにヘッド５が取り付けられている。そして、各スイングアームＳＡは、装着された記録ディスクカートリッジ１００に向かって揺動した際に、記録ディスクカートリッジ１００のアクセス用開口部１１１で臨む記録ディスクメディアＤＭを挟み込むことで、各ヘッド５を記録ディスクメディアＤＭの表裏にアクセスさせるようになっている。
【００２８】
アクチュエータ７は、ボイスコイルモータで構成されており、スイングアームＳＡを支軸６周りに揺動させることで、ヘッド５を記録ディスクメディアＤＭの所定の位置に位置決めするようになっている。ちなみに、アクチュエータ７は、ドライブ装置Ｄに記録ディスクカートリッジ１００が装着されていない場合に、スイングアームＳＡをランプ部８に待機させている。
【００２９】
カートリッジ係止排出機構１０は、図２（ａ）に示すように、記録ディスクカートリッジ１００と一体に進退する進退部材１１と、この進退部材１１を所定のリード・ライト位置（以下、「Ｒ／Ｗ位置」という。）で係止するための係止カム１２と、この係止カム１２に対して所定の駆動力を常時与える駆動カム１３とを備えて構成されている。
【００３０】
進退部材１１は、ドライブ装置Ｄの側壁に沿って進退する長尺状の部材であり、その前端に記録ディスクカートリッジ１００のカートリッジケース１１０に形成される係合凹部（ケースの一部）１１３と係合する係合凸部１１ａが形成されている。そして、この係合凸部１１ａとカートリッジケース１１０の係合凹部１１３とが係合することで、進退部材１１が記録ディスクカートリッジ１００と一体となって移動（進退）するようになっている。また、進退部材１１の後端には、ドライブ装置Ｄの内方に向かってドライブ装置Ｄの側壁から略直交方向に突出する突出部１１ｂが形成されている。そして、この突出部１１ｂの基端側には、ドライブ装置Ｄの底壁Ｄ１にブラケットＢＬを介してその一端が固定されたトーションばねＳ１の他端が固定されており、これにより進退部材１１が常時前方へ付勢されるようになっている。また、突出部１１ｂの先端側には、後記するハート型カム溝１２ｃと係合する係合ピン１１ｃが設けられている。
【００３１】
係止カム１２は、所定の回動軸１２ａを中心に回動するカムであり、その外周面の一部に駆動カム１３と噛み合うギヤ歯１２ｂが形成されるとともに、その適所に公知のハート型カム溝１２ｃ（断面視略コ字状の溝が平面視において環状のハート型形状に形成されたもの）が形成されている。そして、この係止カム１２は、駆動カム１３によって常時時計回り方向（一方向）に付勢されるようになっているとともに、進退部材１１が進退することによって進退部材１１の係合ピン１１ｃがハート型カム溝１２ｃの側壁を適宜押圧することで、適宜反時計回り方向（他方向）に回動するようになっている。
【００３２】
駆動カム１３は、所定の回動軸１３ａを中心に回動するカムであり、その外周面の一部には、係止カム１２と噛み合うギヤ歯１３ｂが形成されている。そして、この駆動カム１３は、所定のスプリングＳ２により常時反時計回りに付勢されており、これにより、係止カム１２に対して時計回り方向の付勢力が常時与えられるようになっている。
【００３３】
以下に、本発明に係る誤排出防止機構２０の詳細な説明に入る前に、この誤排出防止機構２０と密接に関連するカートリッジ係止排出機構１０の動作について説明することとする。
【００３４】
カートリッジ係止排出機構１０は、記録ディスクカートリッジ１００が最大押込位置（第１所定位置）まで押し込まれたときに記録ディスクカートリッジ１００を所定のＲ／Ｗ位置まで押し戻して保持するとともに、Ｒ／Ｗ位置に位置する記録ディスクカートリッジ１００が再度最大押込位置（第２所定位置）まで押し込まれたときに記録ディスクカートリッジ１００を外部に排出させるように機能している。具体的には、以下のように動作するようになっている。
【００３５】
記録ディスクカートリッジ１００の挿入前においては、進退部材１１が図２（ｂ）に示すＲ／Ｗ位置よりも前（図の下側）の位置に位置しており、その係合ピン１１ｃがハート型カム溝１２ｃの第１ポジションＰ１に位置するようになっている。その後、記録ディスクカートリッジ１００をドライブ装置Ｄ内に挿入していくと、進退部材１１の係合ピン１１ｃがハート型カム溝１２ｃの左側（駆動カム１３側）の直線部分を後方に向かって進んで行き、これにより係合ピン１１ｃによってハート型カム溝１２ｃの側壁が押圧されて、係止カム１２が反時計回りに回動されていく。そして、係合ピン１１ｃがハート型カム溝１２ｃの第２ポジションＰ２（左側頂部）まで移動すると、係合ピン１１ｃの後方への移動がハート型カム溝１２ｃの側壁で阻止されることとなり、これにより、記録ディスクカートリッジ１００を最大押込位置までしか押し込むことができないようになっている。なお、この第２ポジションＰ２に係合ピン１１ｃが到達した際においては、係合ピン１１ｃの右側部分で今まで押圧していたハート型カム溝１２ｃの側壁がなくなるので、常時時計回りに付勢されている係止カム１２が回動し、そのハート型カム溝１２ｃの側壁と係合ピン１１ｃの右側部分が再度当接したときに、その回動が止められるようになっている。
【００３６】
その後、記録ディスクカートリッジ１００を押し込むために与えていた力を解放すると、進退部材１１がトーションばねＳ１によって前方に押し戻されるとともに、係止カム１２が駆動カム１３によって時計回りに回動することで、係合ピン１１ｃがハート型カム溝１２ｃの第３ポジションＰ３（谷部）に位置することとなる。そして、この第３ポジションＰ３において係合ピン１１ｃの前方への移動がハート型カム溝１２ｃの側壁で阻止されることで、記録ディスクカートリッジ１００がＲ／Ｗ位置に係止されるようになっている。さらに、このＲ／Ｗ位置から記録ディスクカートリッジ１００を後方に押し込むと、係合ピン１１ｃが所定距離進んでからハート型カム溝１２ｃの側壁で阻止されるようになっており、これにより、記録ディスクカートリッジ１００を最大押込位置までしか押し込むことができないようになっている。また、このように係合ピン１１ｃとハート型カム溝１２ｃの側壁とが当接した際には、係合ピン１１ｃの右側に位置していた側壁がなくなるので、常時時計回りに付勢されている係止カム１２が回動して、係合ピン１１ｃがハート型カム溝１２ｃの第４ポジションＰ４に移動することとなる。そして、この第４ポジションＰ４においては係合ピン１１ｃの前側の側壁がなくなるので、記録ディスクカートリッジ１００に対して与えていた力を解放させると、進退部材１１がトーションばねＳ１によって前方に押し戻されて、記録ディスクカートリッジ１００が外部に排出されるようになっている。
【００３７】
続いて、本発明の特徴となる誤排出防止機構２０について図３を主に参照して説明する。参照する図面において、図３は、第１の実施形態に係る誤排出防止機構を示す分解斜視図である。
【００３８】
図３に示すように、誤排出防止機構２０は、ロック片２１と、支持片（保持部材）２２と、ストッパ部材２３とを備えて構成されている。
【００３９】
ロック片２１は、円板状に形成される基端部２１ａと、この基端部２１ａの周縁部の一部から上側に延びた後、径方向外側に延びる先細り形状のアーム部２１ｂと、このアーム部２１ｂの先端から上側に延びるピン部（先端部）２１ｃとを有している。そして、このロック片２１の基端部２１ａが、ドライブ装置Ｄの底壁（基板）Ｄ１に形成された平面視円形状となる凹部Ｄ２にセットされることにより、この基端部２１ａから一段上がった位置に形成されるアーム部２１ｂが、スイングアームＳＡと底壁Ｄ１との間で揺動するようになっている。また、ロック片２１のアーム部２１ｂが所定長さで形成されることによって、そのピン部２１ｃが平面視においてスイングアームＳＡの記録ディスクカートリッジ１００側の側部ＳＡ２から突出するとともに、側面視において側部ＳＡ２と重なり合うように配置されるようになっている（図５参照）。さらに、ロック片２１の基端部２１ａには、スイングアームＳＡを揺動自在に支持するための揺動ピン（揺動軸）ＳＰが挿通される挿通孔２１ｄが形成されており、これにより、ロック片２１が揺動ピンＳＰを中心として揺動するようになっている。
【００４０】
なお、このロック片２１のピン部２１ｃは、円筒状に巻かれたコイルばね（弾性部材）ＢＳによって、スイングアームＳＡの基部ＳＡ１側（アクチュエータ７側）に付勢されるようになっている。そして、このコイルばねＢＳは、その一方の端部がアクチュエータ７の止めねじを介してドライブ装置Ｄの底壁Ｄ１（シャーシ）に固定されており、その他方の端部がロック片２１のピン部２１ｃに係合するようになっている。
【００４１】
支持片２２は、平面視において先細りの台形となるような形状で形成される凸部であり、スイングアームＳＡの記録ディスクカートリッジ１００側の側部ＳＡ２に一体に形成されている。そして、この支持片２２は、コイルばねＢＳによって付勢されているロック片２１のピン部２１ｃを支持することによって、このピン部２１ｃのスイングアームＳＡに対する相対位置を所定位置に保持するようになっている。すなわち、この支持片２２でロック片２１のピン部２１ｃを支持している間は、ピン部２１ｃがスイングアームＳＡと一体に移動するようになっている。
【００４２】
ストッパ部材２３は、ドライブ装置Ｄの底壁Ｄ１上に設けられる矩形の部材であり、詳しくは、図２（ａ）に示すように、Ｒ／Ｗ位置に位置する記録ディスクカートリッジ１００の先端側（後側）のケース外壁１１０ａよりも後方へ所定距離α以上離れた位置に設けられるようになっている。ここで、「所定距離α」とは、Ｒ／Ｗ位置から最大押込位置までの間の距離をいう。これにより、記録ディスクカートリッジ１００が、Ｒ／Ｗ位置から最大押込位置まで確実に移動できるようになっている。さらに、このストッパ部材２３は、前記した位置条件に加え、スイングアームＳＡとともに揺動するロック片２１のピン部２１ｃを、ケース外壁１１０ａと所定距離α（所定値）以下の隙間β（図４（ｂ）参照）を空けた位置で支持するような位置に形成されている。これにより、記録ディスクカートリッジ１００のＲ／Ｗ位置から最大押込位置までの移動が阻止（禁止）されるようになっている。
【００４３】
次に、第１の実施形態に係るドライブ装置Ｄの動作について図４および図５を主に参照し、適宜図１および図２を参照して説明する。参照する図面において、図４は、第１の実施形態に係るドライブ装置の動作を示す図であり、（ａ）はヘッドが退避位置に位置するときのロック片の状態を示す平面図、（ｂ）はヘッドが記録ディスクメディア上に位置した瞬間のロック片の状態を示す平面図、（ｃ）はヘッドが記録ディスクメディアの中心側に移動したときのロック片の状態を示す平面図である。図５は、スイングアームと誤排出防止機構の関係を示す図であり、（ａ）はヘッドが退避位置に位置するときの両者の関係を示す斜視図、（ｂ）はヘッドが記録ディスクメディア上に位置するときの両者の関係を示す斜視図である。
【００４４】
図１に示すように、ドライブ装置Ｄ内に記録ディスクカートリッジ１００を挿入する際においては、まず、記録ディスクカートリッジ１００の係合凹部１１３とカートリッジ係止排出機構１０の進退部材１１に形成された係合凸部１１ａとが係合して、記録ディスクカートリッジ１００と進退部材１１とが一体となって後方へ押し込まれていく。そして、図２（ａ）に示すように、記録ディスクカートリッジ１００を最大押込位置まで押し込むと、カートリッジ係止排出機構１０によって記録ディスクカートリッジ１００がＲ／Ｗ位置に押し戻され、その位置で保持される。なお、このＲ／Ｗ位置に記録ディスクカートリッジ１００が位置したときには、前記したようなロータリシャッタ１２０（図１参照）の回動によってアクセス用開口部１１１が開放されているので、記録ディスクメディアＤＭが露出するようになっている。
【００４５】
その後、Ｒ／Ｗ位置に位置する記録ディスクカートリッジ１００内の記録ディスクメディアＤＭ上にヘッド５を位置させるべく、スイングアームＳＡを揺動させると、図４（ａ）から（ｂ）に示すように、このスイングアームＳＡに設けられた支持片２２に付勢されているロック片２１のピン部２１ｃも一緒に移動する。そして、図４（ｂ）に示すように、ロック片２１のピン部２１ｃがストッパ部材２３に当接すると、このストッパ部材２３によって、ロック片２１の揺動が止められて、ロック片２１のピン部２１ｃが、記録ディスクカートリッジ１００の先端側のケース外壁１１０ａと所定の隙間βを空けた位置で保持されることとなる。
【００４６】
すなわち、図５（ａ）に示すように、ロック片２１のピン部２１ｃがスイングアームＳＡの支持片２２で支持された状態においては、ピン部２１ｃがドライブ装置Ｄ（図２参照）に対して相対的に移動するが、図５（ｂ）に示すように、ピン部２１ｃが支持片２２からストッパ部材２３に受け渡されると、ピン部２１ｃは、このストッパ部材２３によって支持されることでドライブ装置Ｄに対する相対的な移動ができなくなり、所定位置に保持されるようになっている。これにより、図４（ｂ）に示すように、ヘッド５が記録ディスクメディアＤＭ上に位置したと同時に、記録ディスクカートリッジ１００の最大押込位置までの移動が、ロック片２１のピン部２１ｃによって阻止される。また、ヘッド５によってデータの記録・再生を行う位置が、記録ディスクメディアＤＭの中心部寄りである場合には、図４（ｃ）に示すように、スイングアームＳＡが図４（ｂ）の位置よりもさらに記録ディスクメディアＤＭの中心部側に揺動することとなるが、この場合であっても、ロック片２１のピン部２１ｃがストッパ部材２３によって所定位置に保持されるので、記録ディスクカートリッジ１００の最大押込位置までの移動を確実に阻止することが可能となっている。
【００４７】
なお、スイングアームＳＡを元の位置に戻してヘッド５を退避位置（図４（ａ）に示すランプ部８上の位置）に位置させる場合には、スイングアームＳＡと一体に移動する支持片２２がロック片２１のピン部２１ｃに当接するまで、コイルばねＢＳで付勢されているピン部２１ｃはストッパ部材２３で支持されている。そして、図４（ｂ）に示すように、支持片２２がピン部２１ｃに当接すると、ピン部２１ｃが支持片２２で支持された状態でスイングアームＳＡとともに移動して退避位置に戻される。これにより、ロック片２１のピン部２１ｃによる記録ディスクカートリッジ１００の移動の阻止が解除されるので、その後、図２（ａ）に示すように、記録ディスクカートリッジ１００を最大押込位置まで押し込むと、カートリッジ係止排出機構１０によって記録ディスクカートリッジ１００が外部に排出されることとなる。
【００４８】
以上によれば、第１の実施形態において、次のような効果を得ることができる。
ヘッド５が記録ディスクメディアＤＭ上に位置している際には、誤排出防止機構２０によって記録ディスクカートリッジ１００の最大押込位置までの移動が禁止されるので、プッシュ・プッシュ方式のカートリッジ係止排出機構１０を備えたドライブ装置Ｄにおいて、データの記録・再生中における誤った記録ディスクカートリッジ１００の排出を防止することができる。
ロック片２１のピン部２１ｃがコイルばねＢＳによってストッパ部材２３に付勢されているので、例えば図４（ｃ）に示す位置から図４（ｂ）に示す位置へヘッド５を移動させた場合であっても、ピン部２１ｃを、スイングアームＳＡと一体に移動させずに、記録ディスクカートリッジ１００の移動を阻止できる所定位置に保持させておくことができる。
【００４９】
以上、本発明は、前記実施形態に限定されることなく、様々な形態で実施される。
前記実施形態では、支持片２２をスイングアームＳＡに一体に形成したが、本発明はこれに限定されず、別体としてもよい。
前記実施形態では、ロック片２１の先端に形成したピン部２１ｃをストッパ部材２３で係止することでロック片２１を所定位置に保持するようにしたが、本発明はこれに限定されるものではない。例えば、前記実施形態に係るロック片２１の基端部側に径方向外側に延びる突起を形成し、この突起をストッパ部材で係止するようにしてもよい。この場合であっても、ロック片２１を所定位置に保持させることができる。
【００５０】
〔第２の実施形態〕
以下に、本発明に係るドライブ装置の第２の実施形態について説明する。この実施形態は第１の実施形態の誤排出防止機構を変更したものなので、その他の第１の実施形態と同様の構成要素については同一符号を付し、その説明を省略する。参照する図面において、図６は、第２の実施形態に係るドライブ装置の内部構造を示す平面図であり、図７は、第２の実施形態に係る誤排出防止機構を示す分解斜視図である。図８は、スイングアームと誤排出防止機構の関係を示す図であり、（ａ）はヘッドが退避位置に位置するときの両者の関係を示す斜視図、（ｂ）はヘッドが記録ディスクメディア上に位置するときの両者の関係を示す斜視図である。図９は、第２の実施形態に係るドライブ装置の動作を示す図であり、（ａ）はヘッドが退避位置に位置するときのロック片の状態を示す平面図、（ｂ）はヘッドが記録ディスクメディア上に位置するときのロック片の状態を示す平面図である。
【００５１】
図６に示すように、第２の実施形態に係るドライブ装置Ｄ’には、第１の実施形態とは異なる構造の誤排出防止機構３０が設けられている。そして、この誤排出防止機構３０は、図７に示すように、ドライブ装置Ｄ’の底壁Ｄ１に突設された軸部Ｄ３に揺動自在に支持されるロック片３１と、このロック片３１をスイングアームＳＡの動作に連動して揺動させるロック片操作部材３２とを備えて構成されている。
【００５２】
ロック片３１は、その内周面が軸部Ｄ３に回動自在に係合する円筒状の本体部３１ａと、この本体部３１ａの上端から径方向外側に延びる第１アーム部３１ｂとを主に備えた構造となっている。また、このロック片３１には、図８（ａ）に示すように、その略中央部（第１アーム部３１ｂの下側の部分）に、径方向外側であって第１アーム部３１ｂとは異なる方向に延びる第２アーム部３１ｃが形成され、この第２アーム部３１ｃの先端に、下方へ延びる係合ピン部３１ｄが形成されるようになっている。
【００５３】
ロック片操作部材３２は、図７に示すように、前記した駆動カム１３の回動軸１３ａに回動自在に係合する係合孔３２ａと、この係合孔３２ａからロック片３１側に向かって延びる第１延在部３２ｂと、係合孔３２ａからスイングアームＳＡ側に延びる第２延在部３２ｃとを有する構造となっている。そして、第１延在部３２ｂの先端部（一端部）には、ロック片３１の係合ピン部３１ｄが係合する長孔３２ｄが形成されており、これにより、ロック片操作部材３２の揺動動作に応じてロック片３１も揺動するようになっている。なお、長孔３２ｄの形状や、前記したロック片３１の各アーム部３１ｂ，３１ｃの長さや角度は、ロック片３１が図９（ａ）および（ｂ）に示すような禁止位置と許容位置との間で揺動自在となるような値に適宜設定されている。すなわち、長孔３２ｄの形状などが適切に設定されることで、図９（ａ）に示すように、ヘッド５が退避位置に位置する際に確実にロック片３１が許容位置に位置し、また、図９（ｂ）に示すように、ヘッド５が記録ディスクメディアＤＭ上に位置する際にロック片３１が許容位置から揺動し過ぎることなく確実に禁止位置で止まるようになっている。ここで、「禁止位置」とは、進退部材１１のＲ／Ｗ位置から最大押込位置までの移動を最小限に抑える位置をいい、「許容位置」とは、進退部材１１のＲ／Ｗ位置から最大押込位置までの移動を許容する位置をいう。
【００５４】
また、図７に示すように、第２延在部３２ｃの先端部（他端部）には、上方へ突出する被押圧部３２ｅが形成されており、この被押圧部３２ｅはコイルばね（弾性部材）ＣＳによって退避位置に位置するスイングアームＳＡに付勢されるようになっている。なお、コイルばねＣＳは、その一端がドライブ装置Ｄ’の底壁Ｄ１に突設される凸部Ｄ４に固定されるとともに、その他端がロック片操作部材３２の被押圧部３２ｅに固定されるようになっている。また、ロック片操作部材３２の上側には、第１の実施形態と同様の係止カム１２および駆動カム１３が配設されており、これらのカム１２，１３は前記と同様の動作を行うようになっている。
【００５５】
次に、第２の実施形態に係るドライブ装置Ｄ’の動作について説明する。
図９（ａ）に示すように、Ｒ／Ｗ位置に位置する記録ディスクカートリッジ１００内の記録ディスクメディアＤＭ上にヘッド５を位置させるべく、退避位置に位置するスイングアームＳＡを揺動させると、この揺動に連動するように、ロック片操作部材３２がコイルばねＣＳの付勢力によって反時計回りに揺動する。このようにロック片操作部材３２が揺動すると、図９（ｂ）に示すように、この揺動に連動してロック片３１が時計回りに揺動する。ここで、ロック片操作部材３２は、その長孔３２ｄの内面によってロック片３１の係合ピン部３１ｄを時計回りに押圧することでロック片３１を揺動させているが、図９（ｂ）に示す所定位置まで揺動すると、それ以上時計回り方向に係合ピン部３１ｄを押圧することができなくなる。そのため、ロック片操作部材３２が図９（ｂ）に示す所定位置まで揺動したときに、ロック片操作部材３２がそれ以上反時計回りに揺動することができなくなって、ロック片３１が禁止位置で保持されることとなる。そして、このようにロック片操作部材３２が図９（ｂ）に示す所定位置に位置した後、スイングアームＳＡがさらに記録ディスクメディアＤＭ側に揺動することで、ヘッド５が記録ディスクメディアＤＭに位置することとなる。
【００５６】
これにより、ヘッド５が記録ディスクメディアＤＭ上に位置する際には、記録ディスクカートリッジ１００と一体に移動する進退部材１１の最大押込位置までの移動がロック片３１によって阻止されることとなる。ここで、本実施形態においては、ヘッド５が記録ディスクメディアＤＭ上に位置する前（ヘッド５がランプ部８の先端部分に位置しているとき）に、ロック片３１が禁止位置に保持されるように設定されているので、その後、ヘッド５が記録ディスクメディアＤＭ上のどの位置に位置したとしても、禁止位置に保持されたロック片３１によって進退部材１１（記録ディスクカートリッジ１００）の移動が阻止されるようになっている。
【００５７】
なお、スイングアームＳＡを元の位置に戻してヘッド５を退避位置に位置させる場合には、スイングアームＳＡがコイルばねＣＳの付勢力に抗してロック片操作部材３２を押し戻すことによって、禁止位置に位置するロック片３１が許容位置まで揺動することとなる。これにより、ロック片３１による進退部材１１（記録ディスクカートリッジ１００）の移動の阻止が解除されるので、その後、記録ディスクカートリッジ１００を最大押込位置まで押し込むと、カートリッジ係止排出機構１０によって記録ディスクカートリッジ１００が外部に排出されることとなる。
【００５８】
以上によれば、第２の実施形態において、次のような効果を得ることができる。
ヘッド５が記録ディスクメディアＤＭ上に位置している際には、誤排出防止機構３０によって記録ディスクカートリッジ１００と一体に移動する進退部材１１の最大押込位置までの移動が禁止されるので、プッシュ・プッシュ方式のカートリッジ係止排出機構１０を備えたドライブ装置Ｄ’において、データの記録・再生中における誤った記録ディスクカートリッジ１００の排出を防止することができる。
進退部材１１とロック片３１を当接させることで、記録ディスクカートリッジ１００の誤排出を間接的に防止するので、第１の実施形態のように直接記録ディスクカートリッジ１００のケース外壁１１０ａにロック片２１を当接させる構造に比べ、記録ディスクカートリッジ１００に傷が付くのを確実に防止することができる。
【００５９】
以上、本発明は、前記各実施形態に限定されることなく、様々な形態で実施される。
第２の実施形態では、ロック片３１を揺動させるロック片操作部材３２を、ドライブ装置Ｄ’に対して揺動自在な構造としたが、本発明はこれに限定されず、例えばロック片３１とスイングアームＳＡとの間を直線的に移動するような構造にしてもよい。
【００６０】
第２の実施形態では、ヘッド５がランプ部８の先端部分に位置したときに記録ディスクカートリッジ１００の移動を禁止するような構造としたが、本発明はこれに限定されず、少なくともヘッド５が記録ディスクメディアＤＭ上に位置するときに、記録ディスクカートリッジ１００の移動が禁止されていればよい。すなわち、例えば、ロック片操作部材３２の長孔３２ｄの形状などを適宜変更することで、ヘッド５が最大に退避した位置（ランプ部８の基端部）から少し動いた時点で禁止するようにしてもよい。
【００６１】
第２の実施形態では、ヘッド５をスイングアームＳＡで支持することとしたが、本発明はこれに限定されず、退避位置に位置するときに弾性部材によってロック片操作部材を付勢することができれば、記録ディスクメディアに対して直線状に前進・後退自在に構成したアームによってヘッド５を支持するように構成してもよい。このような直動型アームとしては、例えば特表平１０−５０７５６７号に記載の機構等を利用することができる。
【００６２】
前記した各実施形態では、スイングアームＳＡとロック片２１，３１が機械的に連動するように構成したが、本発明はこれに限定されず、例えば電気的に連動するようにしてもよい。すなわち、例えば、第２の実施形態に係るロック片操作部材３２を設ける代わりにロック片３１を揺動させるモータを設けた場合には、スイングアームＳＡを退避位置から記録ディスクメディアＤＭ側に揺動させる信号をアクチュエータ７に対して送信するときに、ロック片３１を揺動させる信号を前記モータに対して送信することで、進退部材１１の最大押込位置までの移動を禁止するようにしてもよい。
【００６３】
前記した各実施形態では、記録ディスクカートリッジ１００をドライブ装置Ｄ，Ｄ’内に挿入していく際において最大に押し込める位置（第１所定位置）と、Ｒ／Ｗ位置で保持されている記録ディスクカートリッジ１００をさらに押圧する際に最大に押し込める位置（第２所定位置）とを、それぞれ同じ位置（最大押込位置）としたが、本発明はこれに限定されず、それぞれ違う位置でもいい。
【００６４】
前記した各実施形態では、誤排出防止機構として、記録ディスクカートリッジ１００の移動を阻止・許容（阻止または許容）するものや、記録ディスクカートリッジ１００と一体に移動する進退部材１１の移動を阻止・許容するものを採用したが、本発明はこれに限定されるものではない。例えば、誤排出防止機構として、カートリッジ係止排出機構１０の構成部品である係止カム１２または駆動カム１３の回動を阻止・許容するものを採用してもよい。
【図面の簡単な説明】
【００６５】
【図１】第１の実施形態に係るドライブ装置を斜め上方から見下ろした斜視図である。
【図２】第１の実施形態に係るドライブ装置の内部構造を示す図であり、（ａ）は内部構造全体を示す平面図、（ｂ）は図２（ａ）の矢印Ｘで指し示す部分の拡大図である。
【図３】第１の実施形態に係る誤排出防止機構を示す分解斜視図である。
【図４】第１の実施形態に係るドライブ装置の動作を示す図であり、（ａ）はヘッドが退避位置に位置するときのロック片の状態を示す平面図、（ｂ）はヘッドが記録ディスクメディア上に位置した瞬間のロック片の状態を示す平面図、（ｃ）はヘッドが記録ディスクメディアの中心側に移動したときのロック片の状態を示す平面図である。
【図５】スイングアームと誤排出防止機構の関係を示す図であり、（ａ）はヘッドが退避位置に位置するときの両者の関係を示す斜視図、（ｂ）はヘッドが記録ディスクメディア上に位置するときの両者の関係を示す斜視図である。
【図６】第２の実施形態に係るドライブ装置の内部構造を示す平面図である。
【図７】第２の実施形態に係る誤排出防止機構を示す分解斜視図である。
【図８】スイングアームと誤排出防止機構の関係を示す図であり、（ａ）はヘッドが退避位置に位置するときの両者の関係を示す斜視図、（ｂ）はヘッドが記録ディスクメディア上に位置するときの両者の関係を示す斜視図である。
【図９】第２の実施形態に係るドライブ装置の動作を示す図であり、（ａ）はヘッドが退避位置に位置するときのロック片の状態を示す平面図、（ｂ）はヘッドが記録ディスクメディア上に位置するときのロック片の状態を示す平面図である。
【符号の説明】
【００６６】
５      ヘッド
８      ランプ部
１０    カートリッジ係止排出機構
１１    進退部材
１２    係止カム
１３    駆動カム
２０    誤排出防止機構（誤排出防止手段）
２１    ロック片
２１ａ  基端部
２１ｂ  アーム部
２１ｃ  ピン部
２１ｄ  挿通孔
２２    支持片（保持部材）
２３    ストッパ部材
１００  記録ディスクカートリッジ
１１０  カートリッジケース
１１０ａ  ケース外壁
１１１  アクセス用開口部
Ｄ      ドライブ装置
Ｄ１    底壁（基板）
ＤＭ    記録ディスクメディア
ＳＡ    スイングアーム
ＳＡ１  基部
ＳＡ２  側部
ＳＰ    揺動ピン（揺動軸）
ＢＳ    コイルばね（弾性部材）
【図１】
2007164940.tif 000003
【図２】
2007164940.tif 000004
【図３】
2007164940.tif 000005
【図４】
2007164940.tif 000006
【図５】
2007164940.tif 000007
【図６】
2007164940.tif 000008
【図７】
2007164940.tif 000009
【図８】
2007164940.tif 000010
【図９】
2007164940.tif 000011